(57)【特許請求の範囲】
【請求項１】
可撓性シートからなるバッグ本体と、
前記バッグ本体の上部に取り付けられた吊り下げ用のハンガー部と、
前記ハンガー部の下端から離反した位置において前記バッグ本体の前面に設けられ、インレットチューブが結合されるドリップチェンバーと、
前記バッグ本体の下部に設けられた開閉可能な排尿部と、を備え、
前記ハンガー部は、
前記バッグ本体の上部に沿って延び該上部に結合された保持部と、
前記保持部の背面から後方へ延びた吊り下げ用のフックと、
前記保持部の下端部から前記バッグ本体の前面外側に沿って前記ドリップチェンバー近傍まで延びる保形プレートと、を備え、
前記保形プレートが、前記保持部の上端に回動可能に結合されたフラップ状に形成され、前記バッグ本体の前面において前記保持部に重なる重なり位置及び前記重なり位置から前側乃至上方へ開いた開放位置を取ることができ、前記保形プレートを前記重なり位置に固定する係止部がさらに備えられており、
前記保形プレートの先端部は、前記重なり位置において前記ドリップチェンバーの上縁部を囲む凹形状に形成されていることを特徴とする請求項１に記載の採尿バッグ。
【請求項２】
前記フックが前記保持部に対して着脱可能とされていることを特徴とする請求項１に記載の採尿バッグ。
【請求項３】
前記保持部及び前記保形プレートの各々には、前記保形プレートが前記重なり位置にあるときに相互に一致する箇所に貫通孔が形成され、
前記フックは、前方へ突出し先端に屈曲部を有する突出部を有しており、前記突出部を前記保持部及び前記保形プレートの前記貫通孔に通した後、前記保持部に沿ってずらすように移動することにより前記保形プレートから突出した前記屈曲部が前記保形プレートの前面に係合可能とされ、前記係止部を兼ねていることを特徴とする請求項２に記載の採尿バッグ。
【発明の詳細な説明】
【技術分野】
【０００１】
本発明は、患者が排出する尿を尿道留置カテーテル等を通じて採取するための採尿バッグに関する。
【背景技術】
【０００２】
採尿バッグは、尿道留置カテーテルに接続されたインレットチューブをバッグ本体の上部に接続し、バッグ本体の下部から排出チューブを延ばしたものが一般的である。従来の採尿バッグは、例えば、特許文献１に記載されており、図９に示すように、バッグ本体１０１が透明又は半透明の樹脂シートで形成され、上部にインレットチューブ１０２が接続され、下部に排出部１０３が接続されている。排出部１０３は、この例では排出チューブとされ、先端部を差込部１０５に挿入することができるようになっている。バッグ本体の上端部には、吊り下げ用のハンガー部１０４が取り付けられている。
【０００３】
この採尿バッグを使用する際は、患者の尿道に装着された尿道留置カテーテルをインレットチューブ１０２の先端に接続し、患者がベッドにいるときには、ハンガー部１０４によりバッグをベッドのフレームに吊り下げておく。そして、バッグ内に蓄積された尿を排出する際には、排出部１０３のチューブを差込部１０５から抜き出し、クリップ１０６を緩めて、バッグ本体内の尿を取り出す。
【０００４】
採尿バッグのハンガー部１０４は、手で把持できるように、開口部を有する枠部１０４ａを備えている。採尿バッグをベッドのフレームに吊り下げるには、枠部１０４ａに紐を固定しておき、その紐をフレームに縛り付け、或いは、紐をフレームに巻き付け紐上の鉤部材で係止する。
【０００５】
しかしながら、採尿バッグは、バッグの取り替え時や、患者がベッドから離れる時毎にベッドフレームに対して着脱する必要があり、紐による着脱作業は面倒であるばかりか、取付けが完全でないとベッドフレームから外れて、採尿バッグが落下するという問題をも生じる。
【０００６】
これに対処するものとして、図１０に示すように、ハンガー部１０４の背面に後方へ延びるフック１０７を設けたものが知られている。この採尿バッグは、単にフック１０７をベッドフレームＦに係止すればよく落下し難い。しかしながら、次の問題を有していた。
【特許文献１】特開平９−２０１４１１号公報
【発明の開示】
【発明が解決しようとする課題】
【０００７】
採尿バッグのバッグ本体１０１には、インレットチューブを取付けるためのドリップチェンバー１０８が設けられている。ドリップチェンバー１０８は、バッグ本体から前方へ椀状に膨らんだ形状をなし、内部に空間を確保して尿を円滑にバッグ内に導く役割をする。一方、ハンガー部１０４は、バッグ本体を形成する表裏のシートをハンガー部１０４に沿って接着してバッグ本体に保持されている。そして、バッグ本体を形成する表裏のシートがドリップチェンバーの箇所で相互に離反して尿が流入し易くなるように、ハンガー部１０４は、ドリップチェンバー１０８から上方へ離れた位置に設けられている。インレットチューブ１０２は、ドリップチェンバー１０８から上方へ延び、ハンガー部１０４の上端部に設けられた保持リング１０９に通される。
【０００８】
このように、バッグ本体上でドリップチェンバー１０８とハンガー部１０４とは離れた位置に設けられるので、バッグ本体は両者の間で屈曲しやすい。その結果、図１０に示すように、採尿バッグをベッドフレームに吊り下げた状態において、インレットチューブ１０２は、ドリップチェンバーとハンガー部上端との間でバッグ本体と共に急角度で屈曲してしまい、その程度によっては、径方向に押し潰された形で屈曲し尿の流れを妨げることもあった。
【０００９】
この他、フック１０７を備えた採尿バッグとしては、図１１に示すように、椀状のドリップチェンバー１０８から上方へ筒部１１０を延ばし、該筒部にインレットチューブ１０２を接続するようにしたものもある。この構造であれば、筒部１１０がドリップチェンバー１０８上端からハンガー部１０４の下端を越える高さまで延びているので、ドリップチェンバー１０８とハンガー部１０４との間でバッグ本体１０１がインレットチューブ１０２を伴って急角度で屈曲するのが防止される。しかしながら、この採尿バッグは、ドリップチェンバー１０８に筒部１１０を接続した構造が複雑であり、ドリップチェンバー１０８を接着した状態でバッグ本体を形成した後に、さらに筒部１１０を接続するという手間を要し、製造工程も複雑化するという難点があった。
【００１０】
したがって、本発明は、ベッドフレームへの着脱を容易にするとともに、製造容易な構造に基づいてインレットチューブを通じた尿の円滑な流れを確保し得る採尿バッグを提供することを目的とする。
【課題を解決するための手段】
【００１１】
本発明は、前記目的を達成するため、可撓性シートからなるバッグ本体と、前記バッグ本体の上部に取り付けられた吊り下げ用のハンガー部と、前記ハンガー部の下端から離反した位置において前記バッグ本体の前面に設けられ、インレットチューブが結合されるドリップチェンバーと、前記バッグ本体の下部に設けられた開閉可能な排尿部と、を備え、前記ハンガー部は、前記バッグ本体の上部に沿って延び該上部に結合された保持部と、前記保持部の背面から後方へ延びた吊り下げ用のフックと、前記保持部の下端部から前記バッグ本体の前面外側に沿って前記ドリップチェンバー近傍まで延びる保形プレートと、を備え、前記保形プレートが、前記保持部の上端に回動可能に結合されたフラップ状に形成され、前記バッグ本体の前面において前記保持部に重なる重なり位置及び前記重なり位置から前側乃至上方へ開いた開放位置を取ることができ、前記保形プレートを前記重なり位置に固定する係止部がさらに備えられており、前記保形プレートの先端部は、前記重なり位置において前記ドリップチェンバーの上縁部を囲む凹形状に形成されていることを特徴とする採尿バッグを提供するものである。
【発明の効果】
【００１２】
本発明に係る採尿バッグは、吊り下げ用のハンガー部が、バッグ本体の上部に沿って延び該上部に結合された保持部と、該係合部の背面から後方へ延びた吊り下げ用のフックとを備えているので、該フックによりベッドフレームに容易に係止することができる。また、保持部の下端部からバッグ本体の前面外側に沿ってドリップチェンバー近傍まで延びる保形プレートを備えているので、ハンガー部の下端から離反した位置にドリップチェンバーが設けられているにも拘わらず、可撓性のバッグ本体は、ドリップチェンバーとハンガー部との間で屈曲し難い状態となる。その結果、ドリップチェンバーから延びるインレットチューブがバッグ本体に伴われて急角度に屈曲するという状態が防止される。この場合、保形プレートはバッグ本体の前面外側に沿って延びているので、尿の蓄積と共にバッグが膨らむのを妨げない。このようにして、本発明に係る採尿バッグにおいては、インレットチューブを通じた尿の円滑な流れが確保される。この効果は、保持部の下端部からバッグ本体の前面外側に沿ってドリップチェンバー近傍まで延びる保形プレートを設ける構造で得られるので、製造も容易である。
【００１３】
さらに、保形プレートが、保持部の上端に回動可能に結合されたフラップ状に形成され、バッグ本体の前面において保持部に重なる重なり位置及び該重なり位置から前側乃至上方へ開いた開放位置を取ることができるようにすれば、保持部を樹脂成形する場合、保形プレートを保持部に対して平らに開いた位置とし保持部と保形プレートとの境界部を屈曲可能な厚さとして一体成形することができ、製造がより容易であり、コスト低減の点からも極めて有利である。採尿バッグの組立ては、保持部をバッグ本体の表裏シートの接着等により固定し、保形プレートをバッグ本体の前面外側に沿う状態にして保持部に重ね合わせるというようにして行なうことができる。そして、係止部により保形プレートを前記重なり位置に固定すればよい。
【００１４】
フックは、保持部と一体成形してもよいが、保持部に対して着脱可能とすることもできる。後者の場合は、保持部から背面側へ突出するフックを別個に樹脂成形することができ、保持部及び保形プレートは、全体として平らな形状であるので一体成形がより容易となる。
【００１５】
フックは係止部を兼ねるように構成することもできる。この場合は、保持部及び保形プレートの各々には、前記重なり位置において相互に一致する箇所に貫通孔が形成される。そして、フックは、前方へ突出し先端に屈曲部を有する突出部を有し、該突出部を前記保持部及び保形プレートの貫通孔に通した後、前記保持部に沿ってずらすように移動することにより保形プレートから突出した屈曲部が該保形プレートの前面に係合するように形成される。これにより、構造が簡略化され製造の容易化及びコストの低減がさらに促進される。
【発明を実施するための最良の形態】
【００１６】
以下、本発明の実施形態について添付図面を参照しつつ説明する。図１、図２及び図３は、本発明の一実施形態に係る採尿バッグを示している。この採尿バッグは、尿を収容するためのバッグ本体１と、インレットチューブ２を結合し得るようにバッグ本体１に設けられたドリップチェンバー３と、バッグ本体１の下部に設けられた排尿部６と、バッグ本体の上端部に取り付けられたハンガー部５とを備えている。
【００１７】
バッグ本体１は、２枚の樹脂シートを周縁部で溶着して袋状に形成されており、インレットチューブ２は、バッグ本体１上部のドリップチェンバー３から延び、先端部に尿道留置カテーテルを接続できるようになっている。排尿部６は、バッグ本体１の下部から延びた樹脂製の短管６１ａにゴム製チューブ６１ｂを接続した排尿管６１と、バッグ本体１に取り付けられスライダー６２ａを手指で操作することにより排尿管６１のゴム製チューブの開閉を行なうバルブ装置６２とを備えている。したがって、尿はインレットチューブ２を通じてバッグ本体１に蓄積し、蓄積した尿は、バルブ装置６２を開くことにより、採尿バッグをベッドフレームに吊り下げたまま排出することができる。
【００１８】
ドリップチェンバー３は、椀状部１１を備え、その開口縁がバッグ本体に結合されている。椀状部１１の上部からは短管１２が上方へ延び、その先端にインレットチューブ２が結合される。ドリップチェンバー３は、バッグ本体を形成する表裏のシートがドリップチェンバーの箇所で相互に離反して尿が流入し易くなるように、ハンガー部５から下方へ離れた位置に設けられている。
【００１９】
ハンガー部５は、バッグ本体１の上部に結合される保持部２０と、該保持部の下端から延びる保形プレート３０と、保持部２０の背面から後方へ延びたフック４０とを備えている。
【００２０】
保持部２０は、図４、図５及び図６に示すように、全体として平坦な板状に形成され、バッグ本体１の上部に沿って細長く延びる結合部２１と、該結合部の中央部から上方へ隆起した枠部２２とを備えている。結合部２１は、該結合部の下縁に沿ってバッグ本体１が線状に溶着されることにより、バッグ本体上縁の溶着部との間に固定されている。枠部２２は、水平方向に間隔をおいて把持用の開口部２２３が設けられ、手指を該開口部２２３に係止して採尿バッグを手に持つことができるようになっている。また、保持部２０の水平方向中心部には、上下２箇所にフック取り付け用の貫通孔２２１、２２２が設けられている。
【００２１】
保形プレート３０は、枠部２２の上端に薄肉部３１を介して結合されてフラップ状に形成され、該薄肉部をヒンジとして回動可能となっている。この回動により、保形プレート３０は、バッグ本体１の前面において保持部２０に重なる重なり位置及び該重なり位置から前側さらには上方へ開いた開放位置を取ることができる。保形プレート３０は、インレットチューブ２を保持し得る幅を有し、その長さは、前記重なり位置において下端部が少なくともドリップチェンバー３の上端近傍に達するように決められる。この実施形態においては、保形プレート３０の先端部は、前記重なり位置においてドリップチェンバー３の上縁部を僅かな距離をおいて囲む凹形状とされている。さらに、保形プレート３０には、保持部２０との重なり位置にあるときに、保持部２０の貫通孔２２１，２２２と各々一致する箇所に貫通孔３０１，３０２が形成されている。貫通孔３０１の中には、薄肉部３１から延びる保持リング３２が形成されている。保持リング３２は先端に切れ目が設けられており、該切れ目を通して挿入されたインレットチューブ２を保持するようになっている。
【００２２】
フック４０は、保持部２０に対して着脱可能とされており、取付け状態において保持部の背面に沿って上下方向に延びる基部４１、該基部の上端から後方へ水平状に延びる横部材４２及びその先端から下方へ延びる縦部材４３を備えている。基部４１の前面には、上下２箇所に前方へ延びる突出部４４，４５が設けられている。突出部４４，４５は各々先端に屈曲部４４１，４５１を有し鉤状に形成されている。突出部４４，４５及びその屈曲部４４１，４５１は、重なり位置にある保持部２０及び保形プレート３０に対し、保持部２０背面から貫通孔２２１，２２２及び３０１，３０２に挿入可能であり、挿入状態で屈曲部４４１は貫通孔３０１内にあり，屈曲部４５１は保形プレート３０から突出する。そして、フック４０を保持部の背面に沿ってずらすように移動することにより屈曲部４５１が保形プレート３０の前面に係合するように形成されている。貫通孔２２１及び３０１は、該孔内で屈曲部４４１が移動し得るように、屈曲部４４１より寸法が大きくされている。屈曲部４４１と貫通孔２２１との嵌合による位置決め及び屈曲部４５１と保形プレート３０の前面との係合により、フック４０は保持部２０に取り付けられ。これと共に、フック４０により保形プレート３０は保持部２０に対し重なり位置で固定されるのであり、フック４０はこの固定のための係止部を兼ねている。
【００２３】
保形プレート３０は、前述のように、保持部２０に対して薄肉部３１により回動可能とされており、図６に示すように上方へ開いた位置とすることもできる。この状態では、フック４０が取り外され、全体として平らな状態となっているので、保持部２０及び保形プレート３０は樹脂による一体成形を容易に行なうことができる。
【００２４】
バッグ本体１の前面には、小径の通気部５０が設けられている。これは、尿の収容及び排出に伴って生じるバッグ本体の変形時にバッグ内外の空気の出入りを許容することにより、バッグ本体の変形を容易にするためである。このためにバッグ本体に小径の開口が形成され、これを遮水性且つ通気性のエアフィルタで覆っている。
【００２５】
この採尿バッグは、次のようにして製造することができる。先ず図８(1)に示すように、前面となるシート１Ａに対し、ドリップチェンバー３、排尿部６、通気部５０に対応して開口３Ｈ、４Ｈ、５０Ｈを形成する。次に、図８(2)に示すように、前述の開口の位置に各々ドリップチェンバー３、樹脂製の短管６１ａ、通気部５０用フィルタを接着する。そして、図８(3)に示すように、シート１Ａの下に背面となるシート１Ｂを置き、両シートの間にハンガー部５を位置決めする。この時、ハンガー部５は、保形プレート３０を保持部２０からほぼ１８０度に開いて平らに位置させる。これを、図８(4)に示すように、溶着機Ｐ１，Ｐ２の間に配置する。溶着機は、バッグ本体１の外周の輪郭及びハンガー部５の下縁に沿う線の位置でシート１Ａ，１Ｂを超音波溶着する溶着部、及びバッグ本体１外周に沿って切断する切断刃を備えている。したがって、溶着機Ｐ１，Ｐ２による圧締により、バッグ本体１にハンガー部５が固定された状態でバッグ本体が形成される。その後、図８(5)に示すように、これを溶着機から取り出す。そして、図８(6)に示すように、保形プレート３０を保持部２０に重ねるように折り曲げ、別途用意したフック４０の突出部４４，４５を貫通孔２２１，２２２及び３０１，３０２に挿入し、ずらすように移動することにより、保形プレート３０は重なり位置に固定され、フック４０は保持部２０に取り付けられる。排尿管６１にはバルブ装置６２を取付け、排尿部６を完成させる。インレットチューブ２は、この後、ドリップチェンバー３の短管１２に取り付けられる。
【００２６】
この採尿バッグは、図７に示すように、フック４０によりベッドフレームＦに容易に係止することができる。また、保形プレート３０が保持部２０の下端部からバッグ本体の前面外側に沿ってドリップチェンバー３近傍まで延びているので、バッグ本体は、ドリップチェンバーとハンガー部との間で屈曲し難い。その結果、インレットチューブ２がバッグ本体１に伴われて急角度に屈曲するという状態が防止され、インレットチューブを通じた尿の円滑な流れが確保される。また、フック４０が保持部２０の上端部に位置している図示例のように、フックの吊り掛け部をハンガー部の上部に設けることにより、バッグ本体の屈曲がより少なくなり安定した吊り下げ状態が得られる。
【００２７】
本発明は、上記実施形態に限定されるものではなく、種々の変形が可能である。例えば、保形プレート３０を保持部２０への重なり位置に固定する係止部は、フック４０が兼ねる形態の他、図４に一点鎖線で示すように、保形プレート３０の一部を弾性変形して受け入れて固定する係止片６０を保持部に設ける等、独立して設けることもできる。また、保形プレート３０は、保形部２０と一体から分離した部材とすることもできる。
【図面の簡単な説明】
【００２８】
【図１】本発明の一実施形態に係る採尿バッグの正面図である。
【図２】図１に示した採尿バッグの側面図である。
【図３】図１に示した採尿バッグの背面から見た斜視図である。
【図４】図１に示した採尿バッグに使用されるハンガー部の斜視図である。
【図５】図４に示したハンガー部を分解して示す斜視図である。
【図６】図４に示したハンガー部について保形プレートを開いた状態で示す斜視図である。
【図７】図１に示した採尿バッグの使用状態を示す側面図である。
【図８】図１に示した採尿バッグの製造工程の説明図である。
【図９】従来の採尿バッグの一例を示す斜視図である。
【図１０】従来の採尿バッグの他の例を示す斜視図である。
【図１１】図１０に示した従来の採尿バッグの使用状態を示す側面図である。
【符号の説明】
【００２９】
１  バッグ本体
２  インレットチューブ
３  ドリップチェンバー
５  ハンガー部
６  排尿部
２０  保持部
３０  保形プレート
４０  フック
４４，４５  突出部（係止部）
６１  排尿管
【図１】
0005258239.tif 000002
【図２】
0005258239.tif 000003
【図３】
0005258239.tif 000004
【図４】
0005258239.tif 000005
【図５】
0005258239.tif 000006
【図６】
0005258239.tif 000007
【図７】
0005258239.tif 000008
【図８】
0005258239.tif 000009
【図９】
0005258239.tif 000010
【図１０】
0005258239.tif 000011
【図１１】
0005258239.tif 000012